(57)【要約】【課題】揺れや、振動、異音等の発生を抑制することができるとともに、天板を安定的に支持することができる天板昇降式什器を提供する。【解決手段】天板昇降式什器１００は、天板１１と、天板１１を支持する複数の支持脚体２と、を備え、支持脚体２は、上下方向に昇降可能であり、前後方向に離間して配置された一対の昇降脚３と、一対の昇降脚３の下端部３１ｄどうしを連結し、先端部６０ｂが昇降脚３から前後方向に張り出した下部連結部５と、下部連結部５の下端部に設けられ、床面Ｆに設置可能な第一設置部材９０及び第二設置部材７０と、を有し、平面視で、第一設置部材９０は昇降脚３の下端部３１ｄと重なる位置または一対の昇降脚３の間に配置されるとともに、第二設置部材７０は下部連結部５の先端部６０ｂと重なって配置されていることを特徴とする。【選択図】図１
2020069345.tif 000002
【特許請求の範囲】
【請求項１】
天板と、
該天板を支持する複数の支持脚体と、を備え、
該支持脚体は、
上下方向に昇降可能であり、前後方向に離間して配置された一対の昇降脚と、
一対の前記昇降脚の下端部どうしを連結し、先端部が前記昇降脚から前記前後方向に張り出した下部連結部と、
前記下部連結部の下端部に設けられ、床面に設置可能な第一設置部材及び第二設置部材と、を有し、
平面視で、前記第一設置部材は前記昇降脚の下端部と重なる位置または一対の前記昇降脚の間に配置されるとともに、前記第二設置部材は前記下部連結部の先端部と重なって配置されていることを特徴とする天板昇降式什器。
【請求項２】
前記下部連結部は、
一対の前記昇降脚の下端部どうしを連結する連結脚部と、
前記昇降脚の下端部に設けられ、対をなす他の前記昇降脚から離間する方向に延びる延出脚部と、を有し、
前記第一設置部材は、前記連結脚部の下端部に設けられ、
前記第二設置部材は、前記延出脚部が延出する延出方向の先端部に設けられていることを特徴とする請求項１に記載の天板昇降式什器。
【請求項３】
前記延出脚部の前記延出方向は、前記連結脚部が延出する延出方向に対して変更可能とされていることを特徴とする請求項２に記載の天板昇降式什器。
【請求項４】
前記連結脚部の上部には、上方に向かって突出する突出部及び該突出部の外周側に配置された係合突起が設けられ、
前記延出脚部の下部には、上方に向かって凹む凹部及び該凹部の外周側に周方向に離間して配置された複数の係合凹部が形成され、
前記突出部は前記凹部に配置されるとともに、前記係合突起は複数の前記係合凹部のうちいずれかの該係合凹部に選択的に係合されていることを特徴とする請求項３に記載の天板昇降式什器。
【請求項５】
前記昇降脚の下端部には、連結部材が固定され、
前記延出脚部が前記連結部材と前記連結脚部との間に挟み込まれつつ、前記連結脚部と前記連結部材とが螺子止めされている請求項２から４のいずれか一項に記載の天板昇降式什器。
【請求項６】
天板と、
該天板を支持する複数の支持脚体と、を備え、
該支持脚体は、
上下方向に昇降可能な昇降脚と、
該昇降脚の下端部から床面に沿って延びる延出脚部と、
前記昇降脚の下端部または前記延出脚部の下端部に設けられ、前記床面に設置可能な第一設置部材と、
前記延出脚部の下端部に設けられ、前記床面に設置可能な第二設置部材と、を有し、
平面視で、前記第一設置部材は前記昇降脚の下端部と重なって配置されるともに、前記第二設置部材は前記延出脚部が延出する延出方向の先端部と重なって配置されていることを特徴とする天板昇降式什器。
【請求項７】
前記第二設置部材は、前記第一設置部材よりも左右方向の外側方に配置されていることを特徴とする請求項１から６のいずれか一項に記載の天板昇降式什器。
【請求項８】
平面視で、前記第一設置部材及び前記第二設置部材は、前記天板と重なって配置されていることを特徴とする請求項１から７のいずれか一項に記載の天板昇降式什器。
【発明の詳細な説明】
【技術分野】
【０００１】
本発明は、天板昇降式什器に関する。
【背景技術】
【０００２】
一般に、オフィスや公共施設等の執務空間においては、利用者に作業エリアを提供するためにデスクが設置されている。利用者の姿勢、体格、性別、好み等によって、作業のしやすい天板の高さは個々に異なる。このため、天板の高さを上下に変更可能とした天板昇降式什器が使用されている。
【０００３】
天板を昇降させる技術として、例えばガススプリングを用いる方法やギアを用いる方法等が知られている（下記の特許文献１，２参照）。
【０００４】
特許文献１，２に記載された天板昇降式什器は、構造が簡易であるためコストを安く抑えることができる。しかし、力の弱い使用者にとっては操作しにくい場合があったり、天板の高さによっては天板を昇降させるために無理な姿勢を強いたりすることがある。
【０００５】
そこで、天板を昇降させる際の操作性を向上させるために、電動式の駆動ユニットを用いて天板を昇降させる技術が広く知られている（下記の特許文献３参照）。
【先行技術文献】
【特許文献】
【０００６】
【特許文献１】特許第３３７１９５９号公報
【特許文献２】特許第３３９１２８５号公報
【特許文献３】特開２０１６−８６９０９号公報
【発明の概要】
【発明が解決しようとする課題】
【０００７】
しかしながら、これらの天板昇降式什器では、天板を昇降させる際に、天板を支持する脚体が揺れたり、振動したり、異音等が発生することがある。また、天板を高い位置で停止させると、脚体の長さが長くなるため、停止した瞬間に脚体に揺れが生じたり、作業時に利用者が天板に寄りかかったりする力により天板及び天板を支持する脚体が揺れ易いという問題点がある。
【０００８】
本発明は、上記事情に鑑みてなされたものであり、揺れや、振動、異音等の発生を抑制することができるとともに、天板を安定的に支持することができる天板昇降式什器を提供するものである。
【課題を解決するための手段】
【０００９】
上記目的を達成するために、本発明は以下の手段を採用している。
すなわち、本発明に係る天板昇降式什器は、天板と、該天板を支持する複数の支持脚体と、を備え、該支持脚体は、上下方向に昇降可能であり、前後方向に離間して配置された一対の昇降脚と、一対の前記昇降脚の下端部どうしを連結し、先端部が前記昇降脚から前記前後方向に張り出した下部連結部と、前記下部連結部の下端部に設けられ、床面に設置可能な第一設置部材及び第二設置部材と、を有し、平面視で、前記第一設置部材は前記昇降脚の下端部と重なる位置または一対の前記昇降脚の間に配置されるとともに、前記第二設置部材は前記下部連結部の先端部と重なって配置されていることを特徴とする。
【００１０】
このように構成された天板昇降式什器では、下部連結部の下端部に設けられた第一設置部材及び第二設置部材は、床面に設置可能である。平面視で、第一設置部材は昇降脚の下端部と重なる位置または一対の昇降脚の間に配置され、第二設置部材は延出脚部の延出方向の先端部と重なって配置されている。このように、平面視で昇降脚の下端部と重なる位置または一対の昇降脚の間に配置された第一設置部材及び延出脚部の先端部に配置された第二設置部材が支持脚体に作用する天板の自重及び天板上に載置された物品の重量を支持するため、天板を安定的に支持することができる。また、第一設置部材により、天板昇降式什器の揺れや、振動、異音等の発生を抑制することができる。
【００１１】
また、本発明に係る天板昇降式什器では、前記下部連結部は、一対の前記昇降脚の下端部どうしを連結する連結脚部と、前記昇降脚の下端部に設けられ、対をなす他の前記昇降脚から離間する方向に延びる延出脚部と、を有し、前記第一設置部材は、前記連結脚部の下端部に設けられ、前記第二設置部材は、前記延出脚部が延出する延出方向の先端部に設けられていてもよい。
【００１２】
このように構成された天板昇降式什器では、下部連結部は、一対の昇降脚の下端部どうしを連結する連結脚部と、昇降脚の下端部から対をなす他の昇降脚から離間する方向に延びる延出脚部と、を有している。よって、延出脚部のみを変更することで、様々な大きさや形状等の天板に対応することができる。
【００１３】
また、本発明に係る天板昇降式什器では、前記延出脚部の前記延出方向は、前記連結脚部が延出する延出方向に対して変更可能とされていてもよい。
【００１４】
このように構成された天板昇降式什器では、延出脚部の延出方向が連結脚部の延出方向に対して変更可能とさているため、天板の大きさや形状等に応じて、延出脚部の延出方向を変更して対応することができる。
【００１５】
また、本発明に係る天板昇降式什器は、前記連結脚部の上部には、上方に向かって突出する突出部及び該突出部の外周側に配置された係合突起が設けられ、前記延出脚部の下部には、上方に向かって凹む凹部及び該凹部の外周側に周方向に離間して配置された複数の係合凹部が形成され、前記突出部は前記凹部に配置されるとともに、前記係合突起は複数の前記係合凹部のうちいずれかの該係合凹部に選択的に係合されていてもよい。
【００１６】
このように構成された天板昇降式什器では、連結脚部の突出部を延出脚部の凹部に配置して、連結脚部と延出脚部との連結位置の位置決めをする。連結脚部の係合突起を延出脚部の複数の係合凹部のうちいずれかの係合凹部に選択的に係合することで、延出脚部の延出方向を調整することできる。
【００１７】
また、本発明に係る天板昇降式什器は、前記昇降脚の下端部には、連結部材が固定され、前記延出脚部が前記連結部材と前記連結脚部との間に挟み込まれつつ、前記連結脚部と前記連結部材とが螺子止めされていてもよい。
【００１８】
このように構成された天板昇降式什器では、延出脚部は昇降脚の下端部に固定された連結部材と連結脚部との間に挟み込まれつつ、連結脚部と連結部材とが固定されている。よって、一度の螺子止めで、昇降脚、連結脚部及び延出脚部を連結することができる。
【００１９】
また、本発明に係る天板昇降式什器は、天板と、該天板を支持する複数の支持脚体と、を備え、該支持脚体は、上下方向に昇降可能な昇降脚と、該昇降脚の下端部から床面に沿って延びる延出脚部と、前記昇降脚の下端部または前記延出脚部の下端部に設けられ、前記床面に設置可能な第一設置部材と、前記延出脚部の下端部に設けられ、前記床面に設置可能な第二設置部材と、を有し、平面視で、前記第一設置部材は前記昇降脚の下端部と重なって配置されるともに、前記第二設置部材は前記延出脚部が延出する延出方向の先端部と重なって配置されていることを特徴とする。
【００２０】
このように構成された天板昇降式什器では、昇降脚の下端部または延出脚部の下端部に設けられた第一設置部材及び延出脚部の延出方向の先端部の下端部に設けられた第二設置部材は、床面に設置可能である。昇降脚の直下に配置された第一設置部材及び延出脚部の先端部に配置された第二設置部材が、支持脚体に作用する天板の自重及び天板上に載置された物品の重量を支持するため、天板を安定的に支持することができる。また、第一設置部材により、天板昇降式什器の揺れや、振動、異音等の発生を抑制することができる。
【００２１】
また、本発明に係る天板昇降式什器では、前記第二設置部材は、前記第一設置部材よりも左右方向の外側方に配置されていることが好ましい。
【００２２】
このように構成された天板昇降式什器では、第二設置部材は第一設置部材よりも左右方向の外側方に配置されている。よって、天板の左右方向の外側方から内側方に向かって負荷が作用した場合における支持脚体が天板を支持する支持強度を高めることができ、天板昇降式什器の揺れや、振動、異音等の発生をより一層抑制することができる。
【００２３】
また、本発明に係る天板昇降式什器では、平面視で、前記第一設置部材及び前記第二設置部材は、前記天板と重なって配置されていてもよい。
【００２４】
このように構成された天板昇降式什器では、平面視で、第一設置部材及び第二設置部材は、天板と重なって配置されている。よって、複数の天板昇降式什器を隣接配置する場合に、天板どうしを隣接配置して支持脚体が干渉することがない。
【発明の効果】
【００２５】
本発明に係る天板昇降式什器によれば、揺れや、振動、異音等の発生を抑制することができるとともに、天板を安定的に支持することができる。
【図面の簡単な説明】
【００２６】
【図１】本発明の一実施形態に係る天板昇降式什器を上方から見た斜視図である。
【図２】本発明の一実施形態に係る天板昇降式什器を下方から見た斜視図である。
【図３】本発明の一実施形態に係る天板昇降式什器の支持脚体の分解斜視図である。
【図４】本発明の一実施形態に係る天板昇降式什器の下部連結部の分解斜視図である。
【図５】本発明の一実施形態に係る天板昇降式什器の支持脚体の下部の断面図である。
【図６】本発明の一実施形態に係る天板昇降式什器の延出脚部を下方から見た斜視図である。
【図７】本発明の一実施形態に係る天板昇降式什器の側面図である。
【図８】本発明の一実施形態に係る天板昇降式什器の上面図である。
【図９】本発明の一実施形態の変形例１に係る天板昇降式什器の（ａ）斜視図、（ｂ）上面図である。
【図１０】本発明の一実施形態の変形例２に係る天板昇降式什器の（ａ）斜視図、（ｂ）上面図である。
【図１１】本発明の一実施形態の変形例３に係る天板昇降式什器の（ａ）斜視図、（ｂ）上面図である。
【図１２】本発明の一実施形態の変形例４に係る天板昇降式什器の（ａ）斜視図、（ｂ）上面図である。
【図１３】本発明の一実施形態の変形例５に係る天板昇降式什器の（ａ）斜視図、（ｂ）上面図である。
【図１４】本発明の一実施形態の変形例６に係る天板昇降式什器の（ａ）斜視図、（ｂ）上面図である。
【図１５】本発明の一実施形態の変形例７に係る天板昇降式什器の斜視図である。
【図１６】本発明の一実施形態の変形例８に係る天板昇降式什器の側面図である。
【発明を実施するための形態】
【００２７】
以下、本発明の一実施形態に係る天板昇降式什器の一例のテーブル装置について、図面を参照して説明する。
図１は、本発明の一実施形態に係る天板昇降式什器を上方から見た斜視図である。図２は、本発明の一実施形態に係る天板昇降式什器を下方から見た斜視図である。
図１及び図２に示すように、テーブル装置１００は、床面Ｆに設置された支持構造体１と、支持構造体１に支持された天板１１と、を備えている。
以下の説明において、テーブル装置１００を利用者から見た前後方向（図１の紙面右下側から紙面左上側を向く方向）を、テーブル装置１００の前後方向と称する。テーブル装置１００に対向する利用者側を前方と称し、反対側を後方と称する。水平方向のうちテーブル装置１００の前後方向と直交する方向を、テーブル装置１００の左右方向と称する。利用者から見た上下方向を、テーブル装置１００の上下方向と称する。
【００２８】
支持構造体１は、左右方向に離間して配置された一対の脚体（支持脚体）２と、一対の脚体２の上部どうしを連結し、左右方向に延びる上部連結杆１５（図２参照。以下同じ。）と、を有している。
【００２９】
各脚体２は、前後方向に離間して配置された一対の昇降脚３Ａ，３Ｂと、一対の昇降脚３Ａ，３Ｂの上部どうしを連結する脚支持枠４（図２参照。以下同じ。）と、昇降脚３Ａ，３Ｂの下端部どうしを連結するベース脚体（下部連結部）５と、を有している。
【００３０】
図１に示すように、昇降脚３Ａは、前側に配置されている。昇降脚３Ｂは、後側に配置されている。なお、昇降脚３Ａ，３Ｂを総称して、昇降脚３と称することがある。
【００３１】
各昇降脚３は、ベース脚体５に固定された下部脚部３１と、下部脚部３１内から上下方向に昇降可能に収容された上部脚部３６と、を有している。
【００３２】
下部脚部３１及び上部脚部３６は、例えば円筒状に形成されているが、四角形筒状等でもよく、水平断面形状は任意の筒状でよい。下部脚部３１に対して上部脚部３６が上下方向に出没することで昇降脚３の上下方向長さを調整することができる。
【００３３】
図３は、脚体２の分解斜視図である。図３において、後述するジョイント部材５０、端部ベース脚６０Ａ，６０Ｂ、中間ベース脚８０等の構成を簡略して図示している。
図３に示すように、上部脚部３６の上端部には、左右方向の中央側に向かって延びる脚固定部３７が設けられている。脚支持枠４の下面には、上方に凹む開口４１が形成されている。
【００３４】
各脚固定部３７は、脚支持枠４の開口４１に配置され、脚支持枠４に連結されている。このように、前後一対の昇降脚３の上端部は、脚支持枠４により連結されている。
【００３５】
図２に示すように、左右の脚支持枠４どうしは、上部連結杆１５で連結されている。脚支持枠４及び上部連結杆１５は、天板１１の下面１１ｄに固定されている。脚支持枠４及び上部連結杆１５は、天板１１に固定される天板固定部１０を構成している。なお、昇降脚３が天板１１の下面１１ｄに直接固定される構成であってもよい。
【００３６】
図３に示すように、ベース脚体５は、一対のジョイント部材（連結部材）５０と、一対の端部ベース脚（延出脚部）６０Ａ，６０Ｂと、一対の外側アジャスタ（第二設置部材）７０と、前後一対の昇降脚３どうしを連結する中間ベース脚（連結脚部）８０と、一対の内側アジャスタ（第一設置部材）９０と、を有している。
【００３７】
図４は、ベース脚体５の分解斜視図である。図４において、ジョイント部材５０、端部ベース脚６０、外側アジャスタ７０は、一対のうち一方のみを図示している。
図４に示すように、ジョイント部材５０は、円形台座部５１と、矩形台座部５２と、下部膨出部５３と、を有している。
【００３８】
円形台座部５１は、平面視略円形に形成され、所定の上下方向の厚さを有している。矩形台座部５２は、円形台座部５１の上部に設けられている。矩形台座部５２は、平面視略正方形に形成され、所定の上下方向の厚さを有している。
【００３９】
矩形台座部５２の対角線の長さ寸法は、円形台座部５１の直径寸法よりも僅かに長い。換言すると、平面視で、矩形台座部５２の四隅の角部５２ａは、円形台座部５１の外側に配置されている。矩形台座部５２の平面視中央には、上下方向に貫通する貫通孔５２ｈが形成されている。
【００４０】
図５は、脚体２の下部の断面図であり、前後方向の沿う鉛直断面図である。
図５に示すように、矩形台座部５２の外形寸法は、昇降脚３の下部脚部３１の内径寸法と略同一または僅かに短い。矩形台座部５２から円形台座部５１に連通して、上下方向に貫通する挿通孔５２ｊが形成されている。挿通孔５２ｊは、４箇所に形成されている。
【００４１】
下部脚部３１の内部の下端部には、平面視円形状をなす底板３２が設けられている。矩形台座部５２は、昇降脚３の底板３２の下方に配置され、下部脚部３１の下端部に嵌合されている。ジョイント部材５０の挿通孔５２ｊに挿通された螺子５７が、下部脚部３１の底板３２に螺合されている。これにより、ジョイント部材５０は、下部脚部３１に固定されている。
【００４２】
下部膨出部５３は、円形台座部５１の下部から下方に突出している。下部膨出部５３は、下方に向かうにしたがって径寸法が短くなる略円錐台形状をなしている。
【００４３】
下部膨出部５３から円形台座部５１に連通して、上下方向に貫通する螺子孔５３ｈが形成されている。螺子孔５３ｈは、矩形台座部５２の貫通孔５２ｈに連通している。
【００４４】
図１に示すように、端部ベース脚６０Ａ，６０Ｂは、昇降脚３の下端部３１ｄに設けられ、対をなす他の昇降脚３から離間する方向に延びている。端部ベース脚６０Ａ，６０Ｂは、床面Ｆに沿って配置されている。なお、端部ベース脚６０Ａ，６０Ｂを総称して、端部ベース脚６０と称することがある。
【００４５】
本実施形態では、端部ベース脚６０Ａは、昇降脚３の下端部３１ｄから前方に延びている。詳細には、端部ベース脚６０Ａは、前方に向かうにしたがって次第に左右方向の外側方（左右方向の中央側と反対側）に向かうように配置されている。
【００４６】
端部ベース脚６０Ｂは、昇降脚３の下端部３１ｄから後方に延びている。詳細には、端部ベース脚６０Ｂは、後方に向かうにしたがって次第に左右方向の外側方（左右方向の中央側と反対側）に向かうように配置されている。
【００４７】
端部ベース脚６０は、延出方向の先端部６０ｂ側を基端部６０ａ（昇降脚３との連結部分）側よりも左右方向の外側方に向けて配置されている。
【００４８】
図４に示すように、端部ベース脚６０の基端部６０ａには、上方に延びる上部円筒部６１が形成されている。上部円筒部６１は、平面視略円形をなしている。図５に示すように、上部円筒部６１の上端部６１ｕは、昇降脚３の下部脚部３１の下端部３１ｄに当接配置されている。また、上部円筒部６１の上端部６１ｕは、ジョイント部材５０の矩形台座部５２の角部５２ａの下端部５２ｄに当接配置されている。
【００４９】
図６は、端部ベース脚６０を下方から見た斜視図である。
図６に示すように、上部円筒部６１から端部ベース脚６０の下面６０ｄに連通して、上下方向に貫通する貫通孔６１ｈが形成されている。
【００５０】
貫通孔６１ｈの上下方向の中間には、貫通孔６１ｈの内周面から径方向内側に向かって突出する環状部６２が形成されている。環状部６２は、平面視略環状をなしている。
【００５１】
図５に示すように、貫通孔６１ｈは、環状部６２よりも上方の上部貫通孔部６１ａ、環状部６２の内側に形成された中間貫通孔部６１ｂ、及び環状部６２よりも下方の下部貫通孔部（凹部）６１ｃにより構成されている。下部貫通孔部６１ｃは、端部ベース脚６０の下面６０ｄから上方に凹む形状をなしている。
【００５２】
上部貫通孔部６１ａの直径寸法は、ジョイント部材５０の円形台座部５１の直径寸法よりも僅かに長いまたは略同一である。ジョイント部材５０の円形台座部５１は、端部ベース脚６０の上部貫通孔部６１ａに嵌合されている。
【００５３】
ジョイント部材５０の下部膨出部５３は、端部ベース脚６０の上部貫通孔部６１ａ、中間貫通孔部６１ｂ及び下部貫通孔部６１ｃにわたって配置されている。
【００５４】
図６に示すように、端部ベース脚６０の下部貫通孔部６１ｃを形成する内周面６１ｅには、径方向の内側に向かって突出するリブ６３が設けられている。リブ６３は、内周面６１ｅに沿って周方向に間隔を有して４箇所に設けられている。リブ６３は、上方に向かうにしたがって次第に径方向の突出寸法が長くなる形状をなしている。
【００５５】
端部ベース脚６０の基端部６０ａの下面６０ｄには、下部貫通孔部６１ｃの外周側に、周方向に沿って、上方に凹む係合凹部６４が複数形成されている。係合凹部６４は、周方向に間隔を有して１０箇所に形成されている。
【００５６】
端部ベース脚６０の先端部６０ｂの下面６０ｄには、上下方向に貫通する取付孔６０ｊが形成されている。
【００５７】
図４に示すように、各外側アジャスタ７０は、軸部７１と、接地部７２と、を有している。
【００５８】
軸部７１の外周面には、雄ネジが設けられている。各外側アジャスタ７０の軸部７１が、各端部ベース脚６０の取付孔（図６参照）６０ｊにねじ込まれている。
【００５９】
図７は、テーブル装置１００の側面図である。
図７に示すように、接地部７２は、床面Ｆ上に設置可能とされている。外側アジャスタ７０の軸部７１のねじ込み量を調整することで、外側アジャスタ７０の高さ調整が可能とされている。
【００６０】
図４に示すように、中間ベース脚８０は、中間本体部８１と、端部固定部８２と、を有している。
【００６１】
図１に示すように、中間本体部８１は、前後一対の昇降脚３の間に配置されている。中間本体部８１は、前後方向に沿って延びるように配置されている。
【００６２】
図４に示すように、端部固定部８２は、中間本体部８１が延出する延出方向の両端部に設けられている。端部固定部８２は、下部取付部８３と、上部膨出部（突出部）８４と、フランジ部８５と、を有している。
【００６３】
下部取付部８３の下面８３ｄは、中間本体部８１の下面８１ｄよりも下方に配置されている。下部取付部８３は、下方に向かうにしたがって径寸法が短くなる略円錐台形状をなしている。
【００６４】
上部膨出部８４は、下部取付部８３から上方に突出している。上部膨出部８４は、上方に向かうにしたがって径寸法が短くなる略円錐台形状をなしている。
【００６５】
図５に示すように、下部取付部８３の下面８３ｄには、上方に凹むアジャスタ凹部８３ｈが形成されている。上部膨出部８４の上面８４ｕには、下方に凹む螺子挿通孔８４ｈが形成されている。螺子挿通孔８４ｈは、アジャスタ凹部８３ｈに連通されている。螺子挿通孔８４ｈの径寸法は、アジャスタ凹部８３ｈの径寸法よりも短い。
【００６６】
図４に示すように、フランジ部８５は、下部取付部８３の上部に、外周面に沿って形成されている。フランジ部８５は、平面視環状に形成されている。フランジ部８５の上面８５ｕには、上方に突出する係合突起８６が設けられている。係合突起８６は、周方向に間隔を有して２箇所に設けられている。
【００６７】
図５に示すように、中間ベース脚８０の上部膨出部８４は、端部ベース脚６０の下部貫通孔部６１ｃの内部に配置されている。上部膨出部８４は、ジョイント部材５０の下部膨出部５３の下方に配置されている。端部ベース脚６０の基端部６０ａの下面６０ｄは、中間ベース脚８０のフランジ部８５の上面８５ｕに当接配置されている。
【００６８】
２箇所の係合突起８６（図４参照。以下同じ。）は、端部ベース脚６０の複数の係合凹部６４（図６参照。以下同じ。）のうちいずれかの係合凹部６４と選択的に係合されていている。周方向に沿って形成された係合凹部６４のいずれかを選択することで、中間ベース脚８０が延出する延出方向（前後方向）に対する端部ベース脚６０が延出する延出方向を調整することができる。
【００６９】
中間ベース脚８０のアジャスタ凹部８３ｈから挿入された螺子８８は、螺子挿通孔８４ｈに挿通され、ジョイント部材５０の螺子孔５３ｈに螺合されている。
【００７０】
端部ベース脚６０が中間ベース脚８０と昇降脚３及びジョイント部材５０との間に上下に挟み込まれた状態で、中間ベース脚８０から挿通された螺子８８が昇降脚３の下端部３１ｄに設けられたジョイント部材５０に螺子止めされている。これにより、昇降脚３、端部ベース脚６０及び中間ベース脚８０が、固定される。
【００７１】
図１に示すように、ベース脚体５において、中間ベース脚８０の前後の両端部には、前後一対の昇降脚３の下端部３１ｄが連結されて。換言すると、前後一対の昇降脚３の下端部３１ｄどうしは、中間ベース脚８０で連結されている。端部ベース脚６０は、昇降脚３から前後方向に張り出すように設けられている。
【００７２】
図４に示すように、各内側アジャスタ９０は、軸部９１と、接地部９２と、を有している。
【００７３】
軸部９１の外周面には、雄ネジが設けられている。各内側アジャスタ９０の軸部９１が、中間ベース脚８０の各アジャスタ凹部８３ｈ（図５参照）にねじ込まれている。
【００７４】
図７に示すように、接地部９２は、床面Ｆ上に設置可能とされている。内側アジャスタ９０の軸部９１のねじ込み量を調整することで、内側アジャスタ９０の高さ調整が可能とされている。
【００７５】
図１に示すように、天板１１は、平面視略矩形状に形成されている。天板１１は、左右方向の長手方向としている。
【００７６】
天板１１の下面１１ｄには、操作部１２が設けられている。昇降脚３は、コントローラ（不図示。以下同じ。）を介して操作部１２とケーブル（不図示。以下同じ。）により電気的に接続されている。操作部１２に操作入力が行われると、電気信号がケーブル及びコントローラを介して昇降脚３に内蔵された伸縮機構（不図示）に伝達される。コントローラから伸縮機構に伝達された電気信号に基づき、昇降脚３を上下方向に伸縮させることができる。これにより、昇降脚３は、天板１１を昇降可能に支持している。
【００７７】
図８は、テーブル装置１００の上面図である。図８において、脚支持枠４及び上部連結杆１５の図示を省略し、天板１１を二点鎖線で示している。
図８に示すように、平面視で、内側アジャスタ９０は昇降脚３の下端部３１ｄと重なって配置されている。平面視で、外側アジャスタ７０は、端部ベース脚６０の先端部６０ｂと重なって配置されている。
【００７８】
平面視で、内側アジャスタ９０及び外側アジャスタ７０は、天板１１と重なって配置されている。換言すると、平面視で、内側アジャスタ９０及び外側アジャスタ７０は、天板１１の外周面１１ｆよりも内側に配置されている。外側アジャスタ７０は、内側アジャスタ９０よりも左右方向の外側方に配置されている。
【００７９】
このように構成されたテーブル装置１００では、ベース脚体５の下端部に設けられた外側アジャスタ７０及び内側アジャスタ９０は、床面Ｆに設置されている。平面視で、内側アジャスタ９０は昇降脚３の下端部３１ｄと重なって配置され、外側アジャスタ７０は端部ベース脚６０の延出方向の先端部６０ｂと重なって配置されている。このように、昇降脚３の直下に配置された内側アジャスタ９０及び端部ベース脚６０の先端部６０ｂに配置された外側アジャスタ７０が、脚体２に作用する天板１１の自重及び天板１１上に載置された物品の重量を支持するため、天板１１を安定的に支持することができる。また、内側アジャスタ９０により、テーブル装置１００の揺れや、振動、異音等の発生を抑制することができる。
【００８０】
また、ベース脚体５は、一対の昇降脚３の下端部３１ｄどうしを連結する中間ベース脚８０と、昇降脚３の下端部３１ｄから対をなす他の昇降脚３から離間する方向に延びる端部ベース脚６０と、を有している。よって、端部ベース脚６０のみを変更することで、様々な大きさや形状等の天板１１に対応することができる。
【００８１】
また、端部ベース脚６０の延出方向が中間ベース脚８０の延出方向に対して変更可能とさているため、天板１１の大きさや形状等に応じて、端部ベース脚６０の延出方向を変更して対応することができる。
【００８２】
また、中間ベース脚８０の上部膨出部８４を端部ベース脚６０の下部貫通孔部６１ｃに配置して、中間ベース脚８０と端部ベース脚６０との連結位置の位置決めをする。中間ベース脚８０の係合突起８６を端部ベース脚６０の複数の係合凹部６４のうちいずれかの係合凹部６４に選択的に係合することで、端部ベース脚６０の延出方向を調整することできる。
【００８３】
また、端部ベース脚６０は中間ベース脚８０と昇降脚３及びジョイント部材５０との間に上下に挟み込まれつつ、中間ベース脚８０とジョイント部材５０とが螺子止めされている。よって、一度の螺子止めで、昇降脚３、中間ベース脚８０及び端部ベース脚６０を連結することができる。
【００８４】
また、外側アジャスタ７０は内側アジャスタ９０よりも左右方向の外側方に配置されている。よって、天板１１の左右方向の外側方ら内側方に向かって負荷（図１の矢印Ｘ参照）が作用した場合における脚体２が天板１１を支持する支持強度を高めることができ、テーブル装置１００の揺れや、振動、異音等の発生をより一層抑制することができる。
【００８５】
また、平面視で、内側アジャスタ９０及び外側アジャスタ７０は、天板１１と重なって配置されている。よって、複数のテーブル装置１００を隣接配置する場合に、天板１１どうしを隣接配置して脚体２が干渉することがない。
【００８６】
また、端部ベース脚６０の内周面には、径方向の内側に向かって突出するリブ６３が複数設けられている。よって、端部ベース脚６０に下向きの力が作用し、端部ベース脚６０が傾いたとしても、リブ６３が中間ベース脚８０の上部膨出部８４に当接するため、これ以上の傾きが抑制される。
【００８７】
（変形例１）
上記に示す実施形態の変形例１について、主に図９を用いて説明する。
以下の変形例において、前述した実施形態で用いた部材と同一の部材には同一の符号を付して、その説明を省略する。
図９は、本発明の一実施形態の変形例１に係るテーブル装置の（ａ）斜視図、（ｂ）上面図である。変形例１から後述する変形例６を示す上面図において、外側アジャスタ７０を実線及び内側アジャスタ９０をハッチングで示し、脚支持枠及び上部連結杆の図示を省略し、天板を二点鎖線で示している。
図９に示すように、本変形例では、内側アジャスタ９０は、中間ベース脚８０の前後方向の中央の下端部に設けられている。平面視で、内側アジャスタ９０は、前後一対の昇降脚３の間に配置されている。
【００８８】
このように構成されたテーブル装置１０１では、外側アジャスタ７０及び内側アジャスタ９０は、床面Ｆに設置されている。平面視で、内側アジャスタ９０は前後一対の昇降脚３の間に配置され、外側アジャスタ７０は端部ベース脚６０の延出方向の先端部６０ｂと重なって配置されている。このように、昇降脚３どうしを連結する中間ベース脚８０の下端部に配置された内側アジャスタ９０及び端部ベース脚６０の先端部６０ｂに配置された外側アジャスタ７０が、脚体２に作用する天板１１の自重及び天板１１上に載置された物品の重量を支持するため、天板１１を安定的に支持することができる。また、内側アジャスタ９０により、テーブル装置１０１の揺れや、振動、異音等の発生を抑制することができる。
【００８９】
（変形例２）
上記に示す実施形態の変形例２について、主に図１０を用いて説明する。
図１０は、本発明の一実施形態の変形例２に係るテーブル装置の（ａ）斜視図、（ｂ）上面図である。
図１０に示すように、本変形例では、各脚体２Ｃは、１本の昇降脚３を有している。各脚体２Ｃの昇降脚３の上端部どうしは、天板固定部１０Ｃの上部連結杆１５で連結されている。上部連結杆１５は、天板１１の下面１１ｄに固定されている。
【００９０】
昇降脚３の下端部３１ｄに、中間ベース脚８０が連結されている。昇降脚３は、中間ベース脚８０の前後方向の中央に連結されている。
【００９１】
ベース脚体５Ｃは、上記に示す実施形態のように、端部ベース脚６０と中間ベース脚８０とが連結される構成であってもよいし、端部ベース脚６０と中間ベース脚８０とが一体に形成されていてもよい。
【００９２】
内側アジャスタ９０は、中間ベース脚８０の前後方向の中央の下部に設けられている。換言すると、平面視で、内側アジャスタ９０は、昇降脚３の下端部３１ｄと重なる位置に配置されている。
【００９３】
このように構成されたテーブル装置１０２では、外側アジャスタ７０及び内側アジャスタ９０は、床面Ｆに設置されている。平面視で、内側アジャスタ９０は昇降脚３の下端部３１ｄと重なって配置され、外側アジャスタ７０は端部ベース脚６０の延出方向の先端部６０ｂと重なって配置されている。このように、昇降脚３の直下に配置された内側アジャスタ９０及び端部ベース脚６０の先端部６０ｂに配置された外側アジャスタ７０が、脚体２Ｃに作用する天板１１の自重及び天板１１上に載置された物品の重量を支持するため、天板１１を安定的に支持することができる。また、内側アジャスタ９０により、テーブル装置１０２の揺れや、振動、異音等の発生を抑制することができる。
【００９４】
（変形例３）
上記に示す実施形態の変形例３について、主に図１１を用いて説明する。
図１１は、本発明の一実施形態の変形例３に係るテーブル装置の（ａ）斜視図、（ｂ）上面図である。
図１１に示すように、本変形例では、各脚体２Ｄは、１本の昇降脚３を有している。ベース脚体５Ｄは、前後方向に沿う一直線状に配置されている。
【００９５】
ベース脚体５Ｄは、上記に示す実施形態のように、端部ベース脚６０と中間ベース脚８０とが一直線状になるように、中間ベース脚８０の係合突起８６（図４参照。以下同じ。）と係合させる端部ベース脚６０の係合凹部６４（図６参照。以下同じ。）を選択して、端部ベース脚６０と中間ベース脚８０とが連結される構成であってもよい。または、ベース脚体５Ｄが、一体に形成されていてもよい。
【００９６】
内側アジャスタ９０は、中間ベース脚８０の前後方向の中央の下部に設けられている。換言すると、平面視で、内側アジャスタ９０は、昇降脚３の下端部３１ｄと重なる位置に配置されている。
【００９７】
このように構成されたテーブル装置１０３では、外側アジャスタ７０及び内側アジャスタ９０は、床面Ｆに設置されている。平面視で、内側アジャスタ９０は昇降脚３の下端部３１ｄと重なって配置され、外側アジャスタ７０は端部ベース脚６０の延出方向の先端部６０ｂと重なって配置されている。このように、昇降脚３の直下に配置された内側アジャスタ９０及び端部ベース脚６０の先端部６０ｂに配置された外側アジャスタ７０が、脚体２Ｄに作用する天板１１の自重及び天板１１上に載置された物品の重量を支持するため、天板１１を安定的に支持することができる。また、内側アジャスタ９０により、テーブル装置１０２の揺れや、振動、異音等の発生を抑制することができる。
【００９８】
（変形例４）
上記に示す実施形態の変形例４について、主に図１２を用いて説明する。
図１２は、本発明の一実施形態の変形例４に係るテーブル装置の（ａ）斜視図、（ｂ）上面図である。
図１２に示すように、本変形例では、前後一対の昇降脚３は、中間ベース脚８０で連結されていない。昇降脚３の下端部３１ｄには、端部ベース脚６０が連結されている。
【００９９】
内側アジャスタ９０は、端部ベース脚６０の基端部６０ａの下部に設けられている。換言すると、平面視で、内側アジャスタ９０は、昇降脚３の下端部３１ｄと重なる位置に配置されている。
【０１００】
このように構成されたテーブル装置１０４では、外側アジャスタ７０及び内側アジャスタ９０は、床面Ｆに設置されている。平面視で、内側アジャスタ９０は昇降脚３の下端部３１ｄと重なって配置され、外側アジャスタ７０は端部ベース脚６０の延出方向の先端部６０ｂと重なって配置されている。このように、昇降脚３の直下に配置された内側アジャスタ９０及び端部ベース脚６０の先端部６０ｂに配置された外側アジャスタ７０が、脚体２Ｅに作用する天板１１の自重及び天板１１上に載置された物品の重量を支持するため、天板１１を安定的に支持することができる。また、内側アジャスタ９０により、テーブル装置１０２の揺れや、振動、異音等の発生を抑制することができる。
【０１０１】
（変形例５）
上記に示す実施形態の変形例５について、主に図１３を用いて説明する。
図１３は、本発明の一実施形態の変形例５に係るテーブル装置の（ａ）斜視図、（ｂ）上面図である。
図１３に示すように、本変形例では、各脚体２Ｆは、１本の昇降脚３を有している。昇降脚３の下端部３１ｄに、前後一対の端部ベース脚６０が連結されている。昇降脚３の下端部３１ｄに、前側の端部ベース脚６０Ａの後端部及び後側の端部ベース脚６０Ｂの前端部が連結されている。
【０１０２】
内側アジャスタ９０は、前側の端部ベース脚６０Ａの後端部と後側の端部ベース脚６０Ｂの前端部との連結部分の下部に設けられている。換言すると、平面視で、内側アジャスタ９０は、昇降脚３の下端部３１ｄと重なる位置に配置されている。
【０１０３】
このように構成されたテーブル装置１０５では、外側アジャスタ７０及び内側アジャスタ９０は、床面Ｆに設置されている。平面視で、内側アジャスタ９０は昇降脚３の下端部３１ｄと重なって配置され、外側アジャスタ７０は端部ベース脚６０の延出方向の先端部６０ｂと重なって配置されている。このように、昇降脚３の直下に配置された内側アジャスタ９０及び端部ベース脚６０の先端部６０ｂに配置された外側アジャスタ７０が、脚体２Ｆに作用する天板１１の自重及び天板１１上に載置された物品の重量を支持するため、天板１１を安定的に支持することができる。また、内側アジャスタ９０により、テーブル装置１０２の揺れや、振動、異音等の発生を抑制することができる。
【０１０４】
（変形例６）
上記に示す実施形態の変形例６について、主に図１４を用いて説明する。
図１４は、本発明の一実施形態の変形例６に係るテーブル装置の（ａ）斜視図、（ｂ）上面図である。
図１４に示すように、本変形例では、平面視で天板１１Ｇは略円形をなしている。脚体２Ｇは、天板１１Ｇの周方向に離間して３セット配置されている。各脚体２Ｇは、１本の昇降脚３を有している。各脚体２Ｇの昇降脚３の上端部どうしは、天板固定部１０Ｇの上部連結杆１５Ｇで連結されている。各上部連結杆１５Ｇは、隣り合う昇降脚３の上端部どうしを連結している。上部連結杆１５Ｇは、天板１１の下面１１ｄに固定されている。
【０１０５】
昇降脚３の下端部３１ｄには、端部ベース脚６０が連結されている。内側アジャスタ９０は、端部ベース脚６０の基端部６０ａの下部に設けられている。換言すると、平面視で、内側アジャスタ９０は、昇降脚３の下端部３１ｄと重なる位置に配置されている。
【０１０６】
このように構成されたテーブル装置１０６では、外側アジャスタ７０及び内側アジャスタ９０は、床面Ｆに設置されている。平面視で、内側アジャスタ９０は昇降脚３の下端部３１ｄと重なって配置され、外側アジャスタ７０は端部ベース脚６０の延出方向の先端部６０ｂと重なって配置されている。このように、昇降脚３の直下に配置された内側アジャスタ９０及び端部ベース脚６０の先端部６０ｂに配置された外側アジャスタ７０が、脚体２Ｇに作用する天板１１の自重及び天板１１上に載置された物品の重量を支持するため、天板１１を安定的に支持することができる。また、内側アジャスタ９０により、テーブル装置１０２の揺れや、振動、異音等の発生を抑制することができる。
【０１０７】
（変形例７）
上記に示す実施形態の変形例７について、主に図１５を用いて説明する。
図１５は、本発明の一実施形態の変形例７に係るテーブル装置の斜視図である。
図１５に示すように、本変形例では、天板１１は、左右方向に２枚隣接配置されている。
【０１０８】
脚体２Ｈは、左右方向に離間して３セット配置されている。天板固定部１０は、前後方向に離間して配置された一対の上部連結杆１５と、各脚体２Ｈの上端部に設けられた脚支持枠４と、を有している。上部連結杆１５は、左右方向の両側に配置された脚支持枠４にわたって延びている。換言すると、左右方向の中央に配置された脚支持枠４は、上部連結杆１５の左右方向の中央に連結されている。脚支持枠４及び上部連結杆１５は、天板１１の下面１１ｄに固定されている。
【０１０９】
左右両側に配置された脚体２Ｈの端部ベース脚６０は、上記に示す実施形態と同様の延出方向を向いている。左右方向の中央に配置された脚体２Ｈの端部ベース脚６０の延出方向は、中間ベース脚８０の延出方向に沿っている。端部ベース脚６０と中間ベース脚８０とが一直線状に配置されるように、中間ベース脚８０の係合突起８６と係合させる端部ベース脚６０の係合凹部６４が選択されている。
【０１１０】
このように構成されたテーブル装置１０７では、外側アジャスタ７０及び内側アジャスタ９０は、床面Ｆに設置されている。平面視で、内側アジャスタ９０は昇降脚３の下端部３１ｄと重なって配置され、外側アジャスタ７０は端部ベース脚６０の延出方向の先端部６０ｂと重なって配置されている。このように、昇降脚３の直下に配置された内側アジャスタ９０及び端部ベース脚６０の先端部６０ｂに配置された外側アジャスタ７０が、脚体２Ｈに作用する天板１１の自重及び天板１１上に載置された物品の重量を支持するため、天板１１を安定的に支持することができる。また、内側アジャスタ９０により、テーブル装置１０２の揺れや、振動、異音等の発生を抑制することができる。
【０１１１】
（変形例８）
上記に示す実施形態の変形例８について、主に図１６を用いて説明する。
図１６は、本発明の一実施形態の変形例８に係るテーブル装置の側面図である。
図１６に示すように、本変形例では、内側アジャスタ９０は、昇降脚３の下端部３１ｄに直接設けられている。換言すると、平面視で、内側アジャスタ９０は、昇降脚３の下端部３１ｄと重なる位置に配置されている。
【０１１２】
端部ベース脚６０は、昇降脚３における対をなす他の昇降脚３側と反対側を向く面に連結されている。換言すると、前側の端部ベース脚６０Ａは、昇降脚３の前面に連結されている。後側の端部ベース脚６０Ｂは、昇降脚３の後面に連結されている。
【０１１３】
中間ベース脚８０の両端部は、前後一対の昇降脚３の互いに対向する面に連結されている。換言すると、中間ベース脚８０の前端部は、前側の昇降脚３の後面に連結されている。中間ベース脚８０の後端部は、後側の昇降脚３の前面に連結されている。
【０１１４】
このように構成されたテーブル装置１０８では、外側アジャスタ７０及び内側アジャスタ９０は、床面Ｆに設置されている。平面視で、内側アジャスタ９０は昇降脚３の下端部３１ｄと重なって配置され、外側アジャスタ７０は端部ベース脚６０の延出方向の先端部６０ｂと重なって配置されている。このように、昇降脚３の直下に配置された内側アジャスタ９０及び端部ベース脚６０の先端部６０ｂに配置された外側アジャスタ７０が、脚体２Ｉに作用する天板１１の自重及び天板１１上に載置された物品の重量を支持するため、天板１１を安定的に支持することができる。また、内側アジャスタ９０により、テーブル装置１０２の揺れや、振動、異音等の発生を抑制することができる。
【０１１５】
また、上述した実施の形態において示した各構成部材の諸形状や組み合わせ等は一例であって、本発明の主旨から逸脱しない範囲において設計要求等に基づき種々変更可能である。
【０１１６】
例えば、上記に示す実施形態では、ベース脚体５は、端部ベース脚６０と、中間ベース脚８０と、を有しているが、本発明はこれに限られない。連結脚部と延出脚部とが一体に形成された構成であってもよい。
【０１１７】
また、上記に示す実施形態では、端部ベース脚６０の延出方向が中間ベース脚８０の延出方向に対して変更可能とされているが、本発明はこれに限られない。延出脚部の延出方向と連結脚部の延出方向とが所定の角度をなし変更できない構成であってもよい。
【０１１８】
また、上記に示す実施形態では、中間ベース脚８０に係合突起８６が設けられ、端部ベース脚６０に係合凹部６４が形成されているが、本発明はこれに限られない。端部ベース脚６０に係合突起が設けられ、中間ベース脚８０に係合突起と係合可能な係合凹部が形成される構成であってもよい。
【０１１９】
また、上記に示す実施形態では、端部ベース脚６０は昇降脚３の下端部３１ｄに固定されたジョイント部材５０と中間ベース脚８０との間に挟み込まれつつ、中間ベース脚８０とジョイント部材５０とが一度の螺子止めで固定されているが、本発明はこれに限られない。連結脚部と延出脚部とを螺子止めして、延出脚部と昇降脚または昇降脚に固定された連結部材とを螺子止めするように、２段階の螺子止めで、昇降脚、連結脚部及び延出脚部が連結される構成であってもよい。
【０１２０】
また、上記に示す実施形態では、外側アジャスタ７０は内側アジャスタ９０よりも左右方向の外側方に配置されているが、本発明はこれに限られない。第二設置部材が、第一設置部材よりも左右方向の内側方（左右方向の中央側）に配置されていてもよい。
【０１２１】
また、平面視で、内側アジャスタ９０及び外側アジャスタ７０は、天板１１と重なって配置されているが、本発明はこれに限られない。平面視で、第一設置部材及び第二設置部材が天板から前後左右のいずれかにはみ出す構成であってもよい。
【０１２２】
また、第一設置部材及び第二設置部材として、高さ調整が可能な内側アジャスタ９０及び外側アジャスタ７０を例に挙げて説明したが、本発明はこれに限られない。第一設置部材及び第二設置部材として、床面Ｆに設置され天板昇降式什器を移動可能とするキャスタ等であってもよい。また、第一設置部材及び第二設置部材のいずれか一方がアジャスタであり、第一設置部材及び第二設置部材の他方がキャスタであってもよい。
【符号の説明】
【０１２３】
１…支持構造体
２…脚体（支持脚体）
３…昇降脚
４…脚支持枠
５…ベース脚体（下部連結部）
１１…天板
１２…操作部
１５…上部連結杆
３１…下部脚部
３６…上部脚部
５０…ジョイント部材（連結部材）
６０…端部ベース脚（延出脚部）
６０ａ…基端部
６０ｂ…先端部
６１ｃ…下部貫通孔部（凹部）
６４…係合凹部
７０…外側アジャスタ（第二設置部材）
８０…中間ベース脚（連結脚部）
８４…上部膨出部（突出部）
８６…係合突起
９０…内側アジャスタ（第一設置部材）
１００…テーブル装置
Ｆ…床面
【図１】
2020069345.tif 000003
【図２】
2020069345.tif 000004
【図３】
2020069345.tif 000005
【図４】
2020069345.tif 000006
【図５】
2020069345.tif 000007
【図６】
2020069345.tif 000008
【図７】
2020069345.tif 000009
【図８】
2020069345.tif 000010
【図９】
2020069345.tif 000011
【図１０】
2020069345.tif 000012
【図１１】
2020069345.tif 000013
【図１２】
2020069345.tif 000014
【図１３】
2020069345.tif 000015
【図１４】
2020069345.tif 000016
【図１５】
2020069345.tif 000017
【図１６】
2020069345.tif 000018